(57)【要約】ユーザ位置情報に基づくブロードキャスト／マルチキャストサービスにおいて、端末が特定地域で受信しようとするコンテンツを設定すると、ブロードキャスト／マルチキャストサーバは、位置サーバ又は該当端末から伝送される現在端末の位置情報を確認した後、該当地域で提供されるコンテンツを選択して前記端末に伝送することにより、通信チャネルの浪費を防止するとともに、ユーザが現在位置によってコンテンツ又は情報を選択的に受信することができるため、ユーザ満足度及び便宜性が向上する。
2008503148.tif 000002
【特許請求の範囲】
【請求項１】
ブロードキャスト／マルチキャストサービスシステムにおいて、
ブロードキャスト／マルチキャストサーバからコンテンツリストを受信した端末が、特定地域で受信しようとするコンテンツに関する情報を前記ブロードキャスト／マルチキャストサーバに伝送する過程と、
前記端末が設定地域に位置する場合、ブロードキャスト／マルチキャストサーバが該当コンテンツを前記端末に伝送する過程と
から構成されることを特徴とするユーザ位置情報に基づくブロードキャスト／マルチキャストサービス方法。
【請求項２】
前記ブロードキャスト／マルチキャストサーバが、コンテンツ提供者から受信したコンテンツをサービス可能な地域別に分類して保存する過程をさらに含むことを特徴とする請求項１に記載のユーザ位置情報に基づくブロードキャスト／マルチキャストサービス方法。
【請求項３】
前記ブロードキャスト／マルチキャストサーバが、コンテンツ提供者から受信したコンテンツを保存する過程をさらに含むことを特徴とする請求項１に記載のユーザ位置情報に基づくブロードキャスト／マルチキャストサービス方法。
【請求項４】
前記コンテンツリスト及び前記コンテンツは、
地域情報を含むことを特徴とする請求項１に記載のユーザ位置情報に基づくブロードキャスト／マルチキャストサービス方法。
【請求項５】
前記コンテンツを伝送する過程は、
前記ブロードキャスト／マルチキャストサーバが前記端末の現在位置情報を確認する過程と、
前記端末により設定されたコンテンツのうち現在位置に該当するコンテンツを前記端末に伝送する過程とから構成されることを特徴とする請求項１に記載のユーザ位置情報に基づくブロードキャスト／マルチキャストサービス方法。
【請求項６】
前記位置情報を確認する過程は、
前記ブロードキャスト／マルチキャストサーバが位置サーバから該当端末の位置情報を受信して該位置情報を確認する過程であることを特徴とする請求項５に記載のユーザ位置情報に基づくブロードキャスト／マルチキャストサービス方法。
【請求項７】
前記位置情報を確認する過程は、
前記ブロードキャスト／マルチキャストサーバが前記端末から直接位置情報を受信して該位置情報を確認する過程であることを特徴とする請求項５に記載のユーザ位置情報に基づくブロードキャスト／マルチキャストサービス方法。
【請求項８】
コンテンツ提供者から所定のコンテンツを受信したブロードキャスト／マルチキャストサーバが、サービス可能な地域情報を含むコンテンツリストを１つ以上の端末に伝送する過程と、
前記コンテンツリストのうちユーザが選択した１つ以上のコンテンツに対するブロードキャスト／マルチキャスト要求メッセージを受信する過程と、
前記ブロードキャスト／マルチキャストサーバが位置サーバから前記端末の位置情報を確認する過程と、
前記端末の現在位置に該当するコンテンツを前記端末に伝送する過程と
から構成されることを特徴とするユーザ位置情報に基づくブロードキャスト／マルチキャストサービス方法。
【請求項９】
前記コンテンツリストを１つ以上の端末に伝送する過程は、
前記ブロードキャスト／マルチキャストサーバが前記コンテンツ提供者から受信したコンテンツをサービス可能な地域別に分類して保存する過程をさらに含むことを特徴とする請求項８に記載のユーザ位置情報に基づくブロードキャスト／マルチキャストサービス方法。
【請求項１０】
前記ユーザは、
特定位置で受信しようとするコンテンツ又は現在位置で受信しようとするコンテンツを選択することを特徴とする請求項８に記載のユーザ位置情報に基づくブロードキャスト／マルチキャストサービス方法。
【請求項１１】
前記端末の位置情報を確認する過程は、
前記ブロードキャスト／マルチキャストサーバが前記位置サーバに位置追跡要求メッセージを送信する過程と、
前記位置サーバから前記端末の位置追跡値を含む前記位置追跡要求に対する応答メッセージを受信する過程とから構成されることを特徴とする請求項８に記載のユーザ位置情報に基づくブロードキャスト／マルチキャストサービス方法。
【請求項１２】
前記位置追跡要求メッセージとそれに対する応答メッセージは、
ＭＬＰ（Ｍｏｂｉｌｅ  Ｌｏｃａｔｉｏｎ  Ｐｒｏｔｏｃｏｌ）フォーマットであることを特徴とする請求項１１に記載のユーザ位置情報に基づくブロードキャスト／マルチキャストサービス方法。
【請求項１３】
前記位置追跡要求メッセージを受信した位置サーバが、該当端末の位置情報を公開できるか否かを確認する過程と、
位置追跡に対するユーザの同意が必要な場合、前記位置サーバがユーザに位置追跡の同意に関連した通知メッセージを送信し、それに対する応答メッセージを受信する過程と、
前記位置サーバが該当端末の位置追跡値を算出する過程とをさらに含むことを特徴とする請求項１１に記載のユーザ位置情報に基づくブロードキャスト／マルチキャストサービス方法。
【請求項１４】
コンテンツ提供者から所定のコンテンツを受信したブロードキャスト／マルチキャストサーバが、サービス可能な地域情報を含むコンテンツリストを１つ以上の端末に伝送する過程と、
前記コンテンツリストのうち特定端末のユーザが選択した１つ以上のコンテンツに対するブロードキャスト／マルチキャスト要求メッセージを受信する過程と、
前記特定端末から該当端末の現在位置情報を受信する過程と、
前記特定端末の現在位置に該当するコンテンツを前記特定端末に伝送する過程とから構成されることを特徴とするユーザ位置情報に基づくブロードキャスト／マルチキャストサービス方法。
【請求項１５】
前記コンテンツリストを１つ以上の端末に伝送する過程は、
前記ブロードキャスト／マルチキャストサーバが前記コンテンツ提供者から受信したコンテンツをサービス可能な地域別に分類して保存する過程をさらに含むことを特徴とする請求項１４に記載のユーザ位置情報に基づくブロードキャスト／マルチキャストサービス方法。
【請求項１６】
前記ユーザは、
特定位置で受信しようとするコンテンツ又は現在位置で受信しようとするコンテンツを選択することを特徴とするユーザ位置情報に基づくブロードキャスト／マルチキャストサービス方法。
【請求項１７】
前記端末から位置情報を受信する過程は、
前記端末が位置サーバに位置追跡要求メッセージを送信する過程と、
前記位置サーバから前記端末の位置追跡値を含む前記位置追跡要求に対する応答メッセージを受信する過程と、
前記端末が前記端末の現在位置情報を前記ブロードキャスト／マルチキャストサーバに伝送する過程とをさらに含むことを特徴とする請求項１４に記載のユーザ位置情報に基づくブロードキャスト／マルチキャストサービス方法。
【請求項１８】
前記位置追跡要求メッセージとそれに対する応答メッセージは、
ＭＬＰ（Ｍｏｂｉｌｅ  Ｌｏｃａｔｉｏｎ  Ｐｒｏｔｏｃｏｌ）フォーマットであることを特徴とする請求項１７に記載のユーザ位置情報に基づくブロードキャスト／マルチキャストサービス方法。
【請求項１９】
同一のネットワークで送受信するクライアントを有する少なくとも１つの端末にブロードキャスト／マルチキャストサービスを提供する方法において、
１つ以上のコンテンツを受信したブロードキャスト／マルチキャストサーバが前記クライアントに前記コンテンツ情報を伝送する過程と、
前記コンテンツ情報のうち特定端末のユーザが選択したコンテンツに対するブロードキャスト／マルチキャスト要求メッセージを前記クライアントから受信する過程と、
前記ブロードキャスト／マルチキャストサーバが位置サーバに前記端末に対する位置追跡要求メッセージを送信する過程と、
前記位置サーバから前記位置追跡要求に対する応答メッセージを受信する過程と、
前記位置情報に該当するコンテンツを前記特定端末に伝送する過程と
から構成されるユーザ位置情報に基づくブロードキャスト／マルチキャストサービス方法。
【請求項２０】
前記ブロードキャスト／マルチキャストサーバがコンテンツ情報を伝送する過程は、
前記ブロードキャスト／マルチキャストサーバが受信したコンテンツから地域情報を確認する過程と、
前記受信したコンテンツを地域別に分類及び保存するか、又は、前記受信したコンテンツをそのまま保存する過程とをさらに含むことを特徴とする請求項１９に記載のユーザ位置情報に基づくブロードキャスト／マルチキャストサービス方法。
【請求項２１】
前記コンテンツ情報は、
該当コンテンツのサービスが提供できる領域に関する地域情報を含むことを特徴とする請求項１９に記載のユーザ位置情報に基づくブロードキャスト／マルチキャストサービス方法。
【請求項２２】
前記位置追跡要求メッセージとそれに対する応答メッセージは、
ＭＬＰフォーマットであることを特徴とする請求項１９に記載のユーザ位置情報に基づくブロードキャスト／マルチキャストサービス方法。
【請求項２３】
前記クライアントは、
ブロードキャスト／マルチキャストサービスを要求又は受信するブロードキャスト／マルチキャストクライアントと、
ユーザ位置情報を要求又は受信する位置クライアントとを含むことを特徴とする請求項１９に記載のユーザ位置情報に基づくブロードキャスト／マルチキャストサービス方法。
【請求項２４】
前記位置追跡要求メッセージを受信した位置サーバが、
前記特定端末の位置情報を公開できるか否かを確認する過程と、
位置追跡に対してユーザの同意が必要な場合、ユーザに位置追跡の同意に関連した通知メッセージを送信し、それに対する応答メッセージを受信する過程と、
前記特定端末の位置追跡値を算出する過程とを行うことを特徴とする請求項１９に記載のユーザ位置情報に基づくブロードキャスト／マルチキャストサービス方法。
【請求項２５】
同一のネットワークで送受信するクライアントを有する少なくとも１つの端末にブロードキャスト／マルチキャストサービスを提供する方法において、
前記クライアントがブロードキャスト／マルチキャストサーバから１つ以上のコンテンツに関するコンテンツ情報を受信する過程と、
前記コンテンツ情報のうち特定端末のユーザが選択したコンテンツに対するブロードキャスト／マルチキャスト要求メッセージを前記ブロードキャスト／マルチキャストサーバに送信する過程と、
前記クライアントが位置サーバに前記特定端末に対する位置追跡要求メッセージを送信する過程と、
前記位置サーバから位置追跡結果を含む位置追跡要求に対する応答メッセージを受信する過程と、
前記クライアントが前記特定端末の位置情報を前記ブロードキャスト／マルチキャストサーバに伝送する過程と、
前記選択したコンテンツのうち前記特定端末の現在位置に該当するコンテンツを前記ブロードキャスト／マルチキャストサーバから受信する過程と
から構成されることを特徴とするユーザ位置情報に基づくブロードキャスト／マルチキャストサービス方法。
【請求項２６】
前記ブロードキャスト／マルチキャストサーバが、コンテンツ提供者から受信したコンテンツをサービス可能地域別に分類する過程をさらに含むことを特徴とする請求項２５に記載のユーザ位置情報に基づくブロードキャスト／マルチキャストサービス方法。
【請求項２７】
前記ブロードキャスト／マルチキャストサーバが、
コンテンツ提供者から受信したコンテンツを保存し、前記クライアントが要求したコンテンツの地域情報及び該当端末の現在位置情報に基づいてコンテンツを伝送することを特徴とする請求項２５に記載のユーザ位置情報に基づくブロードキャスト／マルチキャストサービス方法。
【請求項２８】
前記クライアントは、
ブロードキャスト／マルチキャストサービスを要求又は受信するブロードキャスト／マルチキャストクライアントと、
ユーザ位置情報を要求又は受信する位置クライアントとを含むことを特徴とする請求項２５に記載のユーザ位置情報に基づくブロードキャスト／マルチキャストサービス方法。
【請求項２９】
前記コンテンツ情報は、
該当コンテンツのサービスが提供できる領域に関する地域情報を含むことを特徴とする請求項２５に記載のユーザ位置情報に基づくブロードキャスト／マルチキャストサービス方法。
【請求項３０】
前記位置追跡要求メッセージとそれに対する応答メッセージは、
ＭＬＰフォーマットであることを特徴とする請求項２５に記載のユーザ位置情報に基づくブロードキャスト／マルチキャストサービス方法。
【請求項３１】
異なるネットワークに接続する第１クライアント及び第２クライアントを有する少なくとも１つの端末にブロードキャスト／マルチキャストサービスを提供する方法において、
１つ以上のコンテンツを受信したブロードキャスト／マルチキャストサーバが前記第１クライアントに前記コンテンツ情報を伝送する過程と、
前記コンテンツ情報のうち特定端末のユーザが選択したコンテンツに対するブロードキャスト／マルチキャスト要求メッセージを前記第２クライアントから受信する過程と、
前記ブロードキャスト／マルチキャストサーバが位置サーバに前記特定端末に対する位置追跡要求メッセージを送信する過程と、
前記位置サーバから前記位置追跡要求に対する応答メッセージを受信する過程と、
ユーザが選択したコンテンツのうち前記位置情報に該当するコンテンツを前記第１クライアントに伝送する過程と
から構成されることを特徴とするユーザ位置情報に基づくブロードキャスト／マルチキャストサービス方法。
【請求項３２】
前記第１クライアントは、
ブロードキャスト／マルチキャストサーバから伝送されるコンテンツ又は情報を受信する受信専用クライアントであることを特徴とする請求項３１に記載のユーザ位置情報に基づくブロードキャスト／マルチキャストサービス方法。
【請求項３３】
前記第２クライアントは、
ブロードキャスト／マルチキャストサーバに要求メッセージ又は情報を送信する送受信クライアントであることを特徴とする請求項３１に記載のユーザ位置情報に基づくブロードキャスト／マルチキャストサービス方法。
【請求項３４】
前記ブロードキャスト／マルチキャストサーバがコンテンツ情報を伝送する過程は、
前記ブロードキャスト／マルチキャストサーバが受信したコンテンツから地域情報を確認する過程と、
前記受信したコンテンツを地域別に分類及び保存するか、又は、前記受信したコンテンツをそのまま保存する過程とをさらに含むことを特徴とする請求項３１に記載のユーザ位置情報に基づくブロードキャスト／マルチキャストサービス方法。
【請求項３５】
前記コンテンツ情報は、
該当コンテンツのサービスが提供できる領域に関する地域情報を含むことを特徴とする請求項３１に記載のユーザ位置情報に基づくブロードキャスト／マルチキャストサービス方法。
【請求項３６】
前記位置追跡要求メッセージとそれに対する応答メッセージは、
ＭＬＰフォーマットであることを特徴とする請求項３１に記載のユーザ位置情報に基づくブロードキャスト／マルチキャストサービス方法。
【請求項３７】
前記位置追跡要求メッセージを受信した位置サーバは、
前記特定端末の位置情報を公開できるか否かを確認する過程と、
位置追跡に対してユーザの同意が必要な場合、ユーザに位置追跡の同意に関連した通知メッセージを送信し、それに対する応答メッセージを受信する過程と、
前記特定端末の位置追跡値を算出する過程とを行うことを特徴とする請求項３１に記載のユーザ位置情報に基づくブロードキャスト／マルチキャストサービス方法。
【請求項３８】
異なるネットワークに接続する第１クライアント及び第２クライアントを有する少なくとも１つの端末にブロードキャスト／マルチキャストサービスを提供する方法において、
前記第１クライアントがブロードキャスト／マルチキャストサーバから１つ以上のコンテンツに関するコンテンツ情報を受信する過程と、
前記第２クライアントが前記コンテンツ情報のうち特定端末のユーザが選択したコンテンツに対するブロードキャスト／マルチキャスト要求メッセージを前記ブロードキャスト／マルチキャストサーバに伝送する過程と、
前記第２クライアントが位置サーバに前記特定端末に対する位置追跡要求メッセージを送信する過程と、
前記第２クライアントが前記位置追跡結果を含む位置追跡要求に対する応答メッセージを受信する過程と、
前記第２クライアントが前記特定端末の位置情報を前記ブロードキャスト／マルチキャストサーバに伝送する過程と、
前記第１クライアントが前記ブロードキャスト／マルチキャストサーバからコンテンツを受信する過程と
から構成されることを特徴とするユーザ位置情報に基づくブロードキャスト／マルチキャストサービス方法。
【請求項３９】
前記第１クライアントは、
ブロードキャスト／マルチキャストサーバから伝送されるコンテンツ又は情報を受信する受信専用クライアントであることを特徴とする請求項３８に記載のユーザ位置情報に基づくブロードキャスト／マルチキャストサービス方法。
【請求項４０】
前記第２クライアントは、
ブロードキャスト／マルチキャストサーバに要求メッセージ又は位置情報を送信し、前記位置サーバから位置情報を受信する送受信クライアントであることを特徴とする請求項３８に記載のユーザ位置情報に基づくブロードキャスト／マルチキャストサービス方法。
【請求項４１】
前記ブロードキャスト／マルチキャストサーバは、
コンテンツ提供者から受信したコンテンツをサービス可能地域別に分類し、前記クライアントが要求したコンテンツの地域情報と該当端末の現在位置情報を比較した後、現在位置情報に該当するコンテンツを伝送することを特徴とする請求項３８に記載のユーザ位置情報に基づくブロードキャスト／マルチキャストサービス方法。
【請求項４２】
前記コンテンツ情報は、
該当コンテンツのサービスが提供できる領域に関する地域情報を含むことを特徴とする請求項３８に記載のユーザ位置情報に基づくブロードキャスト／マルチキャストサービス方法。
【請求項４３】
前記位置追跡要求メッセージとそれに対する応答メッセージは、
ＭＬＰフォーマットであることを特徴とする請求項３８に記載のユーザ位置情報に基づくブロードキャスト／マルチキャストサービス方法。
【発明の詳細な説明】
【技術分野】
【０００１】
本発明は、ブロードキャスト／マルチキャストサービス（Ｂｒｏａｄｃａｓｔ／Ｍｕｌｔｉｃａｓｔ  Ｓｅｒｖｉｃｅ）に関し、特に、ユーザ位置情報に基づくブロードキャスト／マルチキャストサービス方法に関する。
【背景技術】
【０００２】
ブロードキャスト／マルチキャストサービスとは、上空波ブロードキャストや多様な付加的な情報などを移動端末に提供し、プロバイダがプロバイダのサービスに加入している全てのクライアントに有用な情報を提供するブロードキャストサービスと、特定主題又はコンテンツに予め加入した所定グループのクライアントにのみ情報を提供するマルチキャストサービスの両方を含む新しい形態のサービスである。
【０００３】
前記ブロードキャスト／マルチキャストサービスは、複数のクライアントに同時に同一の情報を提供できるため、ネットワーク資源の効率的な管理が可能であり、前記ネットワーク資源の効率的な管理により、高帯域アプリケーション（Ｈｉｇｈ  Ｂａｎｄｗｉｄｔｈ  Ａｐｐｌｉｃａｔｉｏｎ）を提供できるシンボルが増加する。また、前記クライアントの要求に応じて多様な種類の高速サービスを提供することにより、クライアントの高水準のサービスに対する要求を充足させることができる。
【０００４】
前記クライアントが、提供される多様な情報のうち、好みのサービスのみを選択して受信することはできるが、現在クライアントの位置情報に基づいて情報を選択的に受信する方法は定義されていない。
【０００５】
また、従来のブロードキャスト／マルチキャストサービスは、サーバがマルチメディア形態の情報又は多様なコンテンツをユーザのロケーションサービスに基づいて分類して提供できる方法を定義していない。
【発明の開示】
【発明が解決しようとする課題】
【０００６】
すなわち、従来のブロードキャスト／マルチキャストサービスは、同一の情報を同時に複数のクライアントに提供し、前記クライアントは、前記情報を位置に関係なく無条件に受信するという問題がある。
【０００７】
従って、本発明の目的は、サービスに加入しているユーザに該当サービスを提供するサーバが、ユーザの位置情報に基づいてユーザの好みのブロードキャスト又はコンテンツを選択的に提供する、ユーザ位置情報に基づくブロードキャスト／マルチキャストサービス方法を提供することにある。
【０００８】
本発明の他の目的は、ユーザが現在位置によって選択的にコンテンツ又は情報を受信できる、ユーザ位置情報に基づくブロードキャスト／マルチキャストサービス方法を提供することにある。
【課題を解決するための手段】
【０００９】
このような目的を達成するために、ブロードキャスト／マルチキャストサービスシステムにおいて、ユーザ位置情報に基づくブロードキャスト／マルチキャストサービス方法は、端末が特定地域で受信しようとするコンテンツを設定する過程と、前記端末が設定地域に位置する場合、ブロードキャスト／マルチキャストサーバが該当コンテンツを前記端末に伝送する過程とから構成されることを特徴とする。
【００１０】
また、本発明によるユーザ位置情報に基づくブロードキャスト／マルチキャストサービス方法は、コンテンツ提供者から所定のコンテンツを受信したブロードキャスト／マルチキャストサーバが、サービス可能な地域情報を含むコンテンツリストを１つ以上の端末に伝送する過程と、前記コンテンツリストのうち特定端末のユーザが選択した１つ以上のコンテンツに対するブロードキャスト／マルチキャスト要求メッセージを受信する過程と、前記ブロードキャスト／マルチキャストサーバが位置サーバから前記特定端末の位置情報を確認する過程と、前記特定端末の現在位置に該当するコンテンツを前記特定端末に伝送する過程とから構成されることを特徴とする。
【００１１】
また、本発明によるユーザ位置情報に基づくブロードキャスト／マルチキャストサービス方法は、コンテンツ提供者から所定のコンテンツを受信したブロードキャスト／マルチキャストサーバが、サービス可能な地域情報を含むコンテンツリストを１つ以上の端末に伝送する過程と、前記コンテンツリストのうち特定端末のユーザが選択した１つ以上のコンテンツに対するブロードキャスト／マルチキャスト要求メッセージを受信する過程と、前記特定端末から前記特定端末の現在位置情報を受信する過程と、前記特定端末の現在位置に該当するコンテンツを前記特定端末に伝送する過程とから構成されることを特徴とする。
【００１２】
また、同一のネットワークで送受信するクライアントを有する少なくとも１つの端末にブロードキャスト／マルチキャストサービスを提供する方法において、ユーザ位置情報に基づくブロードキャスト／マルチキャストサービス方法は、１つ以上のコンテンツを受信したブロードキャスト／マルチキャストサーバが前記クライアントに前記コンテンツ情報を伝送する過程と、前記コンテンツ情報のうち特定端末のユーザが選択したコンテンツに対するブロードキャスト／マルチキャスト要求メッセージを前記クライアントから受信する過程と、前記ブロードキャスト／マルチキャストサーバが位置サーバに前記端末に対する位置追跡要求メッセージを送信する過程と、前記位置サーバから前記位置追跡要求に対する応答メッセージを受信する過程と、前記位置情報に該当するコンテンツを前記特定端末に伝送する過程とから構成される。
【００１３】
また、同一のネットワークで送受信するクライアントを有する少なくとも１つの端末にブロードキャスト／マルチキャストサービスを提供する方法において、ユーザ位置情報に基づくブロードキャスト／マルチキャストサービス方法は、前記クライアントがブロードキャスト／マルチキャストサーバから１つ以上のコンテンツに関するコンテンツ情報を受信する過程と、前記コンテンツ情報のうち特定端末のユーザが選択したコンテンツに対するブロードキャスト／マルチキャスト要求メッセージを前記ブロードキャスト／マルチキャストサーバに送信する過程と、前記クライアントが位置サーバに前記特定端末に対する位置追跡要求メッセージを送信する過程と、前記位置サーバから位置追跡結果を含む位置追跡要求に対する応答メッセージを受信する過程と、前記クライアントが前記特定端末の位置情報を前記ブロードキャスト／マルチキャストサーバに伝送する過程と、前記選択したコンテンツのうち前記特定端末の現在位置に該当するコンテンツを前記ブロードキャスト／マルチキャストサーバから受信する過程とから構成されることを特徴とする。
【００１４】
また、異なるネットワークに接続する第１クライアント及び第２クライアントを有する少なくとも１つの端末にブロードキャスト／マルチキャストサービスを提供する方法において、ユーザ位置情報に基づくブロードキャスト／マルチキャストサービス方法は、１つ以上のコンテンツを受信したブロードキャスト／マルチキャストサーバが前記第１クライアントに前記コンテンツ情報を伝送する過程と、前記コンテンツ情報のうち特定端末のユーザが選択したコンテンツに対するブロードキャスト／マルチキャスト要求メッセージを前記第２クライアントから受信する過程と、前記ブロードキャスト／マルチキャストサーバが位置サーバに前記特定端末に対する位置追跡要求メッセージを送信する過程と、前記位置サーバから前記位置追跡要求に対する応答メッセージを受信する過程と、ユーザが選択したコンテンツのうち前記位置情報に該当するコンテンツを前記第１クライアントに伝送する過程とから構成されることを特徴とする。
【００１５】
また、異なるネットワークに接続する第１クライアント及び第２クライアントを有する少なくとも１つの端末にブロードキャスト／マルチキャストサービスを提供する方法において、ユーザ位置情報に基づくブロードキャスト／マルチキャストサービス方法は、前記第１クライアントがブロードキャスト／マルチキャストサーバから１つ以上のコンテンツに関するコンテンツ情報を受信する過程と、前記第２クライアントが前記コンテンツ情報のうち特定端末のユーザが選択したコンテンツに対するブロードキャスト／マルチキャスト要求メッセージを前記ブロードキャスト／マルチキャストサーバに伝送する過程と、前記第２クライアントが位置サーバに前記特定端末に対する位置追跡要求メッセージを送信する過程と、前記第２クライアントが前記位置追跡結果を含む位置追跡要求に対する応答メッセージを受信する過程と、前記第２クライアントが前記特定端末の位置情報を前記ブロードキャスト／マルチキャストサーバに伝送する過程と、前記第１クライアントが前記ブロードキャスト／マルチキャストサーバからコンテンツを受信する過程とから構成されることを特徴とする。
【発明の効果】
【００１６】
本発明のユーザ位置情報に基づくブロードキャスト／マルチキャストサービス方法は、ユーザ位置情報に基づいて予め設定された情報又はコンテンツのみを選択的に提供することにより通信チャネルの浪費を防止できるという効果がある。
【００１７】
また、本発明のユーザ位置情報に基づくブロードキャスト／マルチキャストサービス方法は、ユーザが現在位置によって選択的にコンテンツ又は情報を受信することによりサービスに対するユーザ満足度及び便宜性が向上するという効果がある。
【発明を実施するための最良の形態】
【００１８】
以下、添付図面を参照して本発明によるユーザ位置情報に基づくブロードキャスト／マルチキャストサービス方法の実施形態を説明する。
【００１９】
本発明は、ユーザの位置情報に基づいてユーザの好みのコンテンツ又は情報をサービスする端末と１つ以上のサーバとの間のインタフェース及び動作を提案する。特に、本発明は、サーバがユーザの位置情報に基づいて多様なコンテンツ又は情報をフィルタリングして該当サービス地域内のユーザに提供するブロードキャスト／マルチキャストサービスを提案する。ここで、前記サーバは、該当地域内の全てのユーザにサービスを提供したり、サービスを要求する該当地域内の端末に該当サービスを提供したり、ユーザが要求する地域に該当するサービスを提供する。
【００２０】
本発明において、ユーザが特定地域において提供されるブロードキャスト／マルチキャストサービスを要求すると、ブロードキャスト／マルチキャストサーバが前記ユーザの位置情報を確認して該当地域のコンテンツ又は情報などを提供する。ここで、前記ブロードキャスト／マルチキャストサーバは、位置サーバからユーザ位置情報を確認するか、又は、端末から伝送されるユーザ位置情報を確認する。
【００２１】
図１は、本発明によるユーザ位置情報に基づくブロードキャスト／マルチキャストサービスを実現するシステムを示すブロック図である。
【００２２】
図１に示すように、前記システムは、コンテンツ提供者１０と、該コンテンツ提供者１０から受信されたコンテンツ及び情報から地域情報を確認し、該当地域にブロードキャスト／マルチキャストサービスにより前記コンテンツ及び情報を提供するブロードキャスト／マルチキャストサーバ３０と、該ブロードキャスト／マルチキャストサーバ３０からコンテンツ及び情報を受信し、ユーザが入力する情報を送信する端末５０と、該端末５０の位置情報を確認する位置サーバ２０とから構成される。ここで、前記コンテンツ提供者１０は、ブロードキャスト／マルチキャストサービスを利用して１つ以上のコンテンツを１つ以上の端末に同時に提供できる。
【００２３】
前記端末５０は、前記ブロードキャスト／マルチキャストサービスを受信又は要求するブロードキャスト／マルチキャストクライアントと、該当端末の位置情報を受信又は要求する位置クライアントとを含む。ここで、前記ブロードキャスト／マルチキャストクライアント及び前記位置クライアントは、端末に内蔵されている一種のモジュールである。
【００２４】
前記端末と前記ブロードキャスト／マルチキャストサーバ間でコンテンツ又は情報が実際に伝送されるネットワークとしては、３ＧＰＰのＭＢＭＳ（Ｍｕｌｔｉｍｅｄｉａ  Ｂｒｏａｄｃａｓｔ／Ｍｕｌｔｉｃａｓｔ  Ｓｅｒｖｉｃｅ）、３ＧＰＰ２のＢＣＭＣＳ（Ｂｒｏａｄｃａｓｔ  Ｍｕｌｔｉｃａｓｔ  Ｓｅｒｖｉｃｅ）、又はＤＶＢ（Ｄｉｇｉｔａｌ  Ｖｉｄｅｏ  Ｂｒｏａｄｃａｓｔ）がある。ここで、前記ネットワークを包括的にＢＤＳ（Ｂｒｏａｄｃａｓｔ  Ｄｉｓｔｒｉｂｕｔｉｏｎ  Ｓｙｓｔｅｍ）という。
【００２５】
前記ＭＢＭＳ及びＢＣＭＣＳは、アップリンクチャネル及びダウンリンクチャネルを両方とも有するため、同一のネットワークにおいて前記ブロードキャスト／マルチキャストサーバと前記端末間のインタフェースが可能である。しかし、前記ＤＶＢは、ダウンリンクチャネルのみを有するため、前記端末が前記ブロードキャスト／マルチキャストサーバと通信を行うためには、ＥＶ−ＤＯ（Ｅｖｏｌｕｔｉｏｎ  Ｄａｔａ  Ｏｎｌｙ）やＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎ）などの移動通信ネットワークに接続してアップリンクチャネルを利用しなければならない。
【００２６】
以下、前述したように構成されたシステムの動作を簡略に説明する。
【００２７】
前記ブロードキャスト／マルチキャストサーバは、コンテンツ提供者からコンテンツを受信して保存し、前記位置サーバ又は該当コンテンツを要求する端末から端末の現在位置情報を受信すると、前記保存されたコンテンツのうち該当地域において提供されるコンテンツをユーザの端末に伝送する。
【００２８】
前記ブロードキャスト／マルチキャストサーバは、前記コンテンツ提供者から所定のコンテンツを受信してサービス地域別に分類して保存し、前記位置サーバ又は該当コンテンツを要求する端末から端末の現在位置情報を受信して該当地域において提供されるコンテンツをユーザの端末に伝送する。
【００２９】
また、前記ブロードキャスト／マルチキャストサーバは、端末からサービス要求を受信しない場合も、端末の現在位置に該当する所定のコンテンツ及び情報を提供できるとともに、サービスを要求した端末の現在位置情報に関係なく、ユーザが要求した特定地域において提供されるコンテンツを該当端末に伝送できる。
【００３０】
図２及び図３は、本発明によるユーザ位置情報に基づくブロードキャスト／マルチキャストサービス方法の実施形態を示す信号フローチャートであり、ブロードキャスト／マルチキャストクライアントと位置クライアントが同一のネットワークに接続できる端末により前記ブロードキャスト／マルチキャストサービスを実現する方法である。ここで、前記ネットワークは、３ＧＰＰのＭＢＭＳ又は３ＧＰＰ２のＢＣＭＣＳである。
【００３１】
図２は、本発明の第１実施形態によるブロードキャスト／マルチキャストサービス方法を示す信号フローチャートであり、位置情報に関するコンテンツ又は情報を伝送しようとするブロードキャスト／マルチキャストサーバが該当端末の位置情報を位置サーバから直接受信する場合である。
【００３２】
図２に示すように、ブロードキャスト／マルチキャストサービスシステムは、コンテンツ提供者１０と、位置サーバ２０と、ブロードキャスト／マルチキャストサーバ３０と、端末５０と、該端末５０に出力されるコンテンツ及び情報を確認して所定の情報を入力するエンドユーザ６０とから構成される。前記コンテンツ及び情報は、ＢＤＳ４０を介して前記端末５０に伝送される。また、前記端末５０は、ＢＤＳ受信器５１と、ブロードキャスト／マルチキャスト及び位置クライアント５３とを含む。ここで、前記端末５０のブロードキャスト／マルチキャストクライアントと位置クライアントは、同一のネットワークに接続できるため、各クライアントを１つの個体、すなわち、ブロードキャスト／位置クライアント５３と仮定する。
【００３３】
前記ブロードキャスト／マルチキャストサーバ３０は、前記コンテンツ提供者１０から１つ以上のコンテンツを受信する（Ｓ１１）。ここで、前記コンテンツは、該当コンテンツの伝送が予定された地域情報、すなわち、該当コンテンツが提供される地域に関する地域情報を含む。
【００３４】
前記コンテンツを受信したブロードキャスト／マルチキャストサーバ３０は、各コンデンツのサービス時間、場所（位置）、関連スケジュールなどを利用してサービスガイドを生成し、それぞれのサービスガイドをＢＤＳ４０を介してブロードキャスト／マルチキャストサービスが提供される全ての地域の端末５０に伝送する。ここで、前記ブロードキャスト／マルチキャストサーバ３０が前記コンテンツ提供者１０から受信したコンテンツを保存する方法は、２つに大別される。第１に、前記コンテンツを受信して保存する方法があり、第２に、前記コンテンツ内に含まれる地域情報を確認し、該当コンテンツをサービス地域別に分類して保存する方法がある。また、前記サービスガイドは、前記ブロードキャスト／マルチキャストサーバ３０により提供できるコンテンツリスト全体、又は、以前にユーザが要求したかもしくはサービス加入時に登録した選好情報に基づいて選別されたコンテンツリストを含む。
【００３５】
前記サービスガイド内の各プログラム又はコンテンツが地域情報を含む場合、特定地域を区分するための要素、位置に基づくコンテンツ内容、及び各コンテンツを提供するサービスの特徴に関する条件情報が該当サービスガイドエントリ（Ｓｅｒｖｉｃｅ  Ｇｕｉｄｅ  Ｅｎｔｒｙ）に含まれなければならない。
【００３６】
例えば、前記特定地域を区分するための要素は、地域名、詳細住所、郵便番号、又は正確な位置座標などを含み、前記コンテンツ内容は、該当コンテンツが広告であるか、天気情報であるかのような分類情報を含み、前記サービス特徴は、該当コンテンツが１回限りのものであるか周期的に使用されるものであるか、又は、特定地域に進入するときに提供されるか、特定地域から移動するときに提供されるかに関する情報を含む。前記サービスガイドエントリに含まれる情報については後で詳細に説明する。
【００３７】
前記端末５０は、前記ＢＤＳ受信器５１を介して前記サービスガイドを受信すると、前記ユーザ６０が前記サービスガイドを確認できるように前記ブロードキャスト／位置クライアント５３により前記サービスガイドを表示する（Ｓ１３）。
【００３８】
前記ユーザ６０は、前記表示されたサービスガイドから様々なプログラム及びコンテンツを確認し、前記コンテンツのうち特定位置又は前記ユーザ６０の位置で受信を所望するコンテンツに該当するサービスガイドエントリを選択すると（Ｓ１４）、ブロードキャスト／マルチキャスト要求メッセージが前記ブロードキャスト／位置クライアント５３により前記ブロードキャスト／マルチキャストサーバ３０に伝送される。ここで、前記ブロードキャスト／マルチキャスト要求メッセージは、ユーザが選択したコンテンツ情報と、前記コンテンツが１回限りのものであるか周期的に使用されるものであるか、又は、特定地域に進入するときに提供されるか、特定地域から移動するときに提供されるかに関するサービス特徴と、端末のＩＤとを含む。また、前記コンテンツ情報は、該当コンテンツが提供される地域情報も含む。
【００３９】
前記ブロードキャスト／位置クライアント５３から前記ブロードキャスト／マルチキャスト要求メッセージを受信すると、ブロードキャスト／マルチキャストサーバ３０は、前記位置サーバ２０に位置追跡要求メッセージを送信する（Ｓ１６）。
【００４０】
前記位置追跡要求メッセージを受信した位置サーバ２０は、該当端末の位置情報が公開できるか否かを確認し（これは、例えば、特定端末が特定端末自身に対する位置追跡を第３者が行うことを許すか否かを設定することを意味し、これを「プライバシーチェック」という）（Ｓ１７）、位置追跡に対するユーザの同意が必要な場合は、ユーザ６０に位置追跡の同意に関連した通知メッセージ（Ｎｏｔｉｆｉｃａｔｉｏｎ）を伝送し、ユーザ６０は前記通知メッセージに対する応答メッセージ（Ｎｏｔｉｆｉｃａｔｉｏｎ  Ｒｅｓｐｏｎｓｅ）を伝送する（Ｓ１８）。
【００４１】
前記位置サーバ２０と前記位置クライアント５３間で前記端末の位置追跡が実行され（Ｓ１９）、前記位置追跡は、３ＧＰＰ及び３ＧＰＰ２において定義されている既存の位置追跡方法やＳＵＰＬ（Ｓｅｃｕｒｅ  Ｕｓｅｒ  Ｐｌａｎｅ  Ｌｏｃａｔｉｏｎ）を用いて実行できる。
【００４２】
前記位置サーバ２０は、計算された位置追跡値を位置追跡要求メッセージに対する応答メッセージによりブロードキャスト／マルチキャストサーバ３０に伝送し（Ｓ２０）、前記ブロードキャスト／マルチキャストサーバ３０は、ユーザ６０が選択したコンテンツのうち現在位置追跡値に該当するコンテンツのみをＢＤＳ４０を介して端末５０に伝送する（Ｓ２１）。ここで、前記コンテンツは、該当端末の位置追跡値を含む。
【００４３】
前記ブロードキャスト／マルチキャストサーバ３０が、コンテンツを伝送する過程において、前記コンテンツ提供者１０から受信したコンテンツをサービス地域別に分類して保存した場合は、該当サービス地域のコンテンツを前記端末５０に伝送し、前記受信された前記コンテンツをそのまま保存した場合は、前記保存されたコンテンツのうち該当サービス地域において提供できるコンテンツを前記端末５０に伝送する。
【００４４】
前記コンテンツは、ＢＤＳ受信器５１を介して前記ブロードキャスト／位置クライアント５３に伝送され（Ｓ２１）、前記ブロードキャスト／位置クライアント５３は、ユーザ６０の確認のために該当コンテンツを出力する（Ｓ２２）。
【００４５】
図４は、本発明によるサービスガイドエントリに含まれる項目を示す図であり、地域情報を含むコンテンツリストを伝送する場合に該当地域情報を示すためにオプションに加えられる項目である。
【００４６】
「ｂｒｏａｄｃａｓｔ＿ａｒｅａ」は、コンテンツをブロードキャスト／マルチキャストするための地域情報を含むことを表示する項目であり、「ｔａｒｇｅｔ＿ａｒｅａ」又は「ｈｏｒ＿ａｃｃ」を下位項目として含む。
【００４７】
「ｔａｒｇｅｔ＿ａｒｅａ」は、コンテンツが提供される部分に対する項目であり、「ｓｈａｐｅ」、「ｃｃ」、「ｎａｍｅ＿ａｒｅａ」、又は「ｚｉｐ＿ｃｏｄｅ」を下位項目として含む。また、「ｈｏｒ＿ａｒｅａ」は、平面上で所定正確度を有するブロードキャスト領域を表示するものであり、例えば、電子地図で所定地域を設定する場合に使用される。
【００４８】
「ｓｈａｐｅ」は、地形的な形態を示すために使用され、「ｃｃ」は、国家コードであり、１〜３桁で表示され、「ｎａｍｅ＿ａｒｅａ」は、地域名を示し、「ｚｉｐ＿ｃｏｄｅ」は、地域別に付与された地域コードであり、郵便番号に該当する。
【００４９】
前記ブロードキャスト／マルチキャストサーバ３０は、前記項目を利用してコンテンツのサービス地域を様々な段階に分けることができるが、例えば、特定都市に特定コンテンツを提供する場合、該当コンテンツリストに「ｂｒｏａｄｃａｓｔ＿ａｒｅａ」項目、「ｔａｒｇｅｔ＿ａｒｅａ」項目、及び「ｎａｍｅ＿ａｒｅａ＝特定都市」項目をオプションとして含む。
【００５０】
前記オプション項目は、サービスガイド内のコンテンツリストのサービス可能地域を表示するときに使用されるだけでなく、各コンテンツリストを伝送する地域又はコンテンツを伝送する地域を制限する場合にも使用される。
【００５１】
また、前記ブロードキャスト／マルチキャストサーバ３０が位置サーバ２０に伝送する位置追跡要求メッセージと、前記位置サーバ２０が前記ブロードキャスト／マルチキャストサーバ３０に伝送する前記位置追跡要求メッセージに対する応答メッセージとは、ＭＬＰ（Ｍｏｂｉｌｅ  Ｌｏｃａｔｉｏｎ  Ｐｒｏｔｏｃｏｌ）スペックに定義された各要素及び属性を用いてＸＭＬ（Ｅｘｔｅｎｓｉｂｌｅ  Ｍａｒｋｕｐ  Ｌａｎｇｕａｇｅ）で表現できる。
【００５２】
図５〜図７及び図８〜図１４は、前記位置追跡要求メッセージ及び応答メッセージをＸＭＬで表現した実施形態であり、図５〜図７は、１回限りの位置追跡の場合に使用されるメッセージの実施形態であり、図８〜図１４は、周期的な位置追跡又は特定イベントが発生した場合の位置追跡のために使用されるメッセージの実施形態である。
【００５３】
図５は、位置追跡要求メッセージに該当する一般的な１回限りの位置追跡要求メッセージであり、位置追跡を要求した端末のＩＤ、時間遅延及び空間的な正確度を含む位置追跡正確度、位置追跡値のタイプ、並びに優先順位の設定を含む。
【００５４】
図６は、前記一般的な１回限りの位置追跡要求に対する確認（ＡＣＫ）メッセージであり、位置追跡が成功したか否かなどの結果値を含む。
【００５５】
図７は、前記一般的な１回限りの位置追跡要求に対する応答メッセージであり、位置追跡値のみを含む。
【００５６】
図８は、周期的な位置追跡要求メッセージを示し、図９は、特定地域に進入したり、特定地域から移動するなどの特定イベントが発生した場合に対する位置追跡要求メッセージである。
【００５７】
前記位置追跡メッセージは、位置追跡を要求した端末のＩＤと、周期的な位置追跡であるか、特定イベント発生に対する位置追跡であるかに対する区分と、周期的な位置追跡の場合は位置追跡を要求する周期、その開始時間、及び終了時間とを含み、特定イベント発生に対する位置追跡の場合はイベントの性格（特定地域に進入するか、特定地域から移動するか、特定地域内にあるかなど）、及び特定地域の名前や正確な位置値とを含む。また、前記位置推定メッセージは、時間遅延及び空間的な正確度を含む位置追跡正確度、位置追跡値の類型、及び優先順位の設定を含む。
【００５８】
図１０及び図１１は、前記周期的な位置追跡要求又は特定イベント発生時の位置追跡要求に対する確認メッセージであり、位置追跡要求に対する応答ができる場合と位置追跡要求に対する応答ができない場合の実施形態である。図１２は、前記周期的な位置追跡要求又は特定イベント発生時の位置追跡要求に対する応答メッセージであり、位置追跡値を伝送する。
【００５９】
図１３は、周期的な位置追跡要求又は特定イベントが発生した場合の位置追跡要求に対する取消メッセージであり、図１４は、前記取消メッセージに対する確認メッセージである。
【００６０】
すなわち、前記ブロードキャスト／マルチキャストサーバ３０は、ユーザが選択したコンテンツの特性によって、１回限りの位置追跡要求メッセージ、周期的な位置追跡要求メッセージ、又は特定イベントが発生した場合の位置追跡要求メッセージを前記位置サーバ２０に伝送する。
【００６１】
また、前記ブロードキャスト／マルチキャストサーバ３０が位置追跡値に該当するコンテンツのみを伝送するためには、前記コンテンツ提供者１０から受信した各コンテンツに関する情報と前記端末の情報をマッチングする過程が必要である。
【００６２】
図１５は、前記ブロードキャスト／マルチキャストサーバ３０のデータベースの探索テーブルを示し、サービス地域、各サービス地域に提供するコンテンツリスト、サービス加入した端末のＩＤ、及びユーザ入力値などの項目を含む。
【００６３】
例えば、Ａ１というＩＤを有する端末が、広告、天気、証券情報に関するコンテンツを受信し、ファッションに関するコンテンツを受信しないと設定される。従って、前記ブロードキャスト／マルチキャストサーバは、前記端末の位置追跡値がＡ地域に該当すると、広告、天気、証券情報に関するコンテンツを伝送し、前記ファッションに関するコンテンツは伝送しない。ここで、前記Ａ地域に伝送されるコンテンツに図４に示す地域情報項目をオプションとして加えて伝送することにより、サービス地域を制限できる。
【００６４】
図３は、本発明の第２実施形態によるブロードキャスト／マルチキャストサービス方法を示す信号フローチャートであり、地域情報に関するコンテンツを伝送するブロードキャスト／マルチキャストサーバが該当端末の位置情報を端末（ユーザ）から受信する場合である。
【００６５】
前記ブロードキャスト／マルチキャストサーバ３０は、前記コンテンツ提供者１０から１つ以上のコンテンツを受信し（Ｓ３１）、前記コンテンツのサービス時間、サービス位置、及びスケジュールなどを利用してサービスガイドを生成した後、ＢＤＳ４０を介してブロードキャスト／マルチキャストサービスが提供される全ての地域の端末５０に前記サービスガイドを伝送する（Ｓ３２）。ここで、前記ブロードキャスト／マルチキャストサーバ３０は、前記コンテンツ内に含まれる地域情報を確認して該当コンテンツをサービス地域別に分類して保存することもでき、サービス地域別に分類せずに保存することもできる。また、前記サービスガイドは、前記ブロードキャスト／マルチキャストサーバ３０により提供できるコンテンツリスト全体を含むか、又は、以前にユーザが要求した選好情報もしくはサービス加入時に登録した選好情報に基づいて選別されたコンテンツリストを含む。
【００６６】
端末５０は、前記ＢＤＳ受信器５１を介して前記サービスガイドを受信すると、ユーザ６０が前記サービスガイドを確認できるように前記ブロードキャスト／位置クライアント５３により前記サービスガイドを表示する（Ｓ３３）。
【００６７】
前記ユーザ６０が前記表示されたサービスガイドのコンテンツのうち、特定位置又は前記ユーザ６０の現在位置で受信を所望するコンテンツを選択すると（Ｓ３４）、ブロードキャスト／マルチキャスト要求メッセージが前記ブロードキャスト／位置クライアント５３により前記ブロードキャスト／マルチキャストサーバ３０に伝送される（Ｓ３５）。ここで、前記ブロードキャスト／マルチキャスト要求メッセージは、ユーザにより選択されたコンテンツが提供される地域の情報を含む。
【００６８】
前記ブロードキャスト／位置クライアント５３は、前記ブロードキャスト／マルチキャスト要求メッセージだけでなく、前記位置サーバ２０に位置追跡要求メッセージも送信する（Ｓ３６）。ここで、前記位置追跡要求メッセージは、前記コンテンツの特性によって、１回限りの位置追跡要求メッセージ、周期的な位置追跡要求メッセージ、又は特定イベントが発生した場合の位置追跡要求メッセージのフォーマットで伝送される。
【００６９】
位置サーバ２０は、前記位置追跡要求メッセージを受信すると、既存の位置追跡方法やＳＵＰＬを用いて位置追跡値を算出した後、（Ｓ３７）、前記位置追跡値を前記位置追跡要求に対する応答メッセージに含んで該当端末のブロードキャスト／位置クライアント５３に伝送する（Ｓ３８）。
【００７０】
ブロードキャスト／位置クライアント５３は、前記応答メッセージを受信すると、前記位置追跡値を前記ブロードキャスト／マルチキャストサーバ３０に伝送し（Ｓ３９）、前記位置追跡値を受信したブロードキャスト／マルチキャストサーバ３０は、ユーザが選択したコンテンツのうち前記位置追跡値に該当するコンテンツのみを前記ＢＤＳ４０を介して端末５０に伝送する（Ｓ４０）。ここで、前記コンテンツは、該当端末の位置追跡値を含む。ここで、前記ブロードキャスト／マルチキャストサーバ３０が前記コンテンツ提供者１０から受信したコンテンツをサービス地域別に分類して保存した場合は、該当サービス地域のコンテンツを前記端末５０に伝送し、前記コンテンツをサービス地域別に分類せずに保存した場合は、保存されたコンテンツのうち該当サービス地域のコンテンツを前記端末５０に伝送する。
【００７１】
前記ＢＤＳ受信器５１を介して前記ブロードキャスト／位置クライアント５３に伝送されたコンテンツは、ユーザ６０が確認できるように出力される（Ｓ４１）。
【００７２】
図１６は、本発明の第３実施形態によるブロードキャスト／マルチキャストサービス方法を示す信号フローチャートであり、図１７は、本発明の第４実施形態によるブロードキャスト／マルチキャストサービス方法を示す信号フローチャートであり、ブロードキャスト／マルチキャストクライアントと位置クライアントが同一のネットワークに接続できない端末により前記ブロードキャスト／マルチキャストサービスを実現する方法である。ここで、前記ブロードキャスト／マルチキャストサービスは、ＤＶＢにより受信され、位置情報要求は、３ＧＰＰや３ＧＰＰ２により伝送される。前記ＤＶＢが相互チャネル（Ｉｎｔｅｒａｃｔｉｏｎ  Ｃｈａｎｎｅｌ）を有せずにダウンリンクチャネルのみを有するため、前記位置情報は、３ＧＰＰや３ＧＰＰ２において定義されたネットワークのアップリンクチャネルで伝送される。
【００７３】
図１６及び図１７に示すように、前記ＤＶＢネットワーク１４０でブロードキャスト／マルチキャストサービスを受信する端末１５０は、ＤＶＢ受信器１５１と、ブロードキャスト／マルチキャストクライアント１５３と、ブロードキャスト／マルチキャストサーバ１３０又は位置サーバ１２０に位置追跡要求メッセージを送信するモバイルクライアント１５５と、ユーザ１６０とを含む。すなわち、前記ブロードキャスト／マルチキャストクライアント１５３は、受信専用として動作し、前記モバイルクライアント１５５は、前記ブロードキャスト／マルチキャストサーバ１３０に該当端末の現在位置情報を伝送する場合を除いては特定情報をサーバに伝送する送信専用として動作する。
【００７４】
図１６を参照して、地域情報に関するコンテンツを伝送しようとするブロードキャスト／マルチキャストサーバ１３０が該当端末１５０の位置情報を位置サーバ１２０から直接受信する場合のブロードキャスト／マルチキャストサービス方法を説明する。
【００７５】
前記コンテンツ提供者１１０から１つ以上のコンテンツを受信すると（Ｓ５１）、ブロードキャスト／マルチキャストサーバ１３０は、前記コンテンツのサービス時間、サービス位置、スケジュールなどを利用してサービスガイドを生成した後、ＤＶＢ１４０によりブロードキャスト／マルチキャストサービスが提供される全ての地域の端末１５０に前記サービスガイドを伝送する（Ｓ５２）。ここで、前記ブロードキャスト／マルチキャストサーバ３０は、前記コンテンツ内に含まれる地域情報を確認して該当コンテンツをサービス地域別に分類して保存することもでき、サービス地域別に分類せずに保存することもできる。また、前記サービスガイドは、前記ブロードキャスト／マルチキャストサーバ３０により提供できるコンテンツリスト全体を含むか、又は、以前にユーザが要求した選好情報もしくはサービス加入時に登録した選好情報に基づいて選別されたコンテンツリストを含む。
【００７６】
前記ＤＶＢ受信器１５１を介して受信された前記サービスガイドは、ユーザ１６０の確認のために前記ブロードキャスト／マルチキャストクライアント１５３により表示される（Ｓ５３）。
【００７７】
前記ユーザ１６０が前記表示されたサービスガイドのコンテンツのうち前記ユーザ１６０の現在位置又は特定位置で受信しようとするコンテンツを選択すると（Ｓ５４）、前記モバイルクライアント１５５は、前記ブロードキャスト／マルチキャストサーバ１３０に前記ブロードキャスト／マルチキャスト要求メッセージを送信する（Ｓ５５）。ここで、前記ブロードキャスト／マルチキャスト要求メッセージは、ユーザ１６０が選択したコンテンツが提供される地域の情報を含む。
【００７８】
前記ブロードキャスト／マルチキャスト要求メッセージを受信すると、ブロードキャスト／マルチキャストサーバ１３０は、前記位置サーバ１２０に位置追跡要求メッセージを送信し（Ｓ５６）、前記位置サーバ１２０は、該当端末１５０の位置情報を公開できるか否かを確認し（Ｓ５７）、前記位置追跡に対するユーザの同意が必要な場合は、ユーザ１６０に位置追跡の同意に関連した通知メッセージを伝送し、それに対する応答メッセージを受信する（Ｓ５８）。ここで、前記位置追跡要求メッセージは、前記コンテンツの特性によって、１回限りの位置追跡要求メッセージ、周期的な位置追跡要求メッセージ、又は特定イベントが発生した場合の位置追跡要求メッセージのフォーマットで伝送される。
【００７９】
前記位置サーバ１２０は、既存の位置追跡方法やＳＵＰＬを用いて位置追跡値を算出し（Ｓ５９）、前記位置追跡値を前記位置追跡要求に対する応答メッセージにより前記ブロードキャスト／マルチキャストサーバ１３０に伝送する（Ｓ６０）。
前記ブロードキャスト／マルチキャストサーバ１３０は、ユーザ１６０が選択したコンテンツのうち前記位置追跡値に該当するコンテンツのみをＤＶＢ１４０により該当端末１５０に伝送し（Ｓ６１）、前記コンテンツを受信したブロードキャスト／マルチキャストクライアント１５３は、該当コンテンツを出力する（Ｓ６２）。
【００８０】
ここで、前記ブロードキャスト／マルチキャストサーバ１３０が前記コンテンツ提供者１１０から受信したコンテンツをサービス地域別に分類して保存した場合は、該当サービス地域のコンテンツを前記端末１５０に伝送し、前記コンテンツをサービス地域別に分類せずに保存した場合は、保存されたコンテンツのうち該当サービス地域のコンテンツを前記端末１５０に伝送する。
【００８１】
図１７を参照して、地域情報に関するコンテンツを伝送するブロードキャスト／マルチキャストサーバが該当端末の位置情報を直接端末から受信する場合のブロードキャスト／マルチキャストサービス方法を説明する。
【００８２】
ブロードキャスト／マルチキャストサーバ１３０は、前記コンテンツ提供者１１０から１つ以上のコンテンツを受信すると（Ｓ７１）、前記コンテンツのサービス時間、サービス位置、スケジュールなどを利用してサービスガイドを生成した後、前記ＤＶＢ１４０によりブロードキャスト／マルチキャストサービスが提供される全ての地域の端末１５０に前記サービスガイドを伝送する（Ｓ７２）。ここで、前記ブロードキャスト／マルチキャストサーバ３０は、前記コンテンツ内に含まれる地域情報を確認して該当コンテンツをサービス地域別に分類して保存することもでき、サービス地域別に分類せずに保存することもできる。また、前記サービスガイドは、前記ブロードキャスト／マルチキャストサーバにより提供できるコンテンツリスト全体を含むか、又は、以前にユーザが要求した選好情報もしくはサービス加入時に登録した選好情報に基づいて選別されたコンテンツリストを含む。
【００８３】
前記サービスガイドは、端末１５０のＤＶＢ受信器１５１を介して前記ブロードキャスト／マルチキャストクライアント１５３に受信され、前記ブロードキャスト／マルチキャストクライアント１５３は、前記サービスガイドをユーザ１６０が確認できるように表示する（Ｓ７３）。
【００８４】
ユーザ１６０がユーザ１６０の現在位置又は特定位置で受信を所望するコンテンツのサービスガイドエントリを選択すると（Ｓ７４）、前記モバイルクライアント１５５は、前記ブロードキャスト／マルチキャストサーバ１３０に前記ブロードキャスト／マルチキャスト要求メッセージを送信し（Ｓ７５）、前記位置サーバ１２０に位置追跡要求メッセージを送信する（Ｓ７６）。ここで、前記ブロードキャスト／マルチキャスト要求メッセージ及び位置追跡要求メッセージは、ＤＶＢ１４０でない３ＧＰＰ又は３ＧＰＰ２のアップリンクチャネルで前記ブロードキャスト／マルチキャストサーバ１３０及び前記位置サーバ１２０に伝送される。
【００８５】
前記位置追跡要求メッセージを受信すると、位置サーバ１２０は、既存の位置追跡方法やＳＵＰＬを用いて位置追跡値を算出し（Ｓ７７）、前記位置追跡値を前記位置追跡要求に対する応答メッセージに含んで該当端末１５０のモバイルクライアント１５５に伝送する（Ｓ７８）。
【００８６】
前記応答メッセージを受信すると、モバイルクライアント１５５は、前記位置追跡値を前記ブロードキャスト／マルチキャストサーバ１３０に伝送し（Ｓ７９）、前記ブロードキャスト／マルチキャストサーバ１３０は、該当端末に提供できるコンテンツのうち前記位置追跡値に該当するコンテンツのみを前記ＤＶＢ１４０により端末１５０に伝送する（Ｓ８０）。ここで、前記ブロードキャスト／マルチキャストサーバ１３０が前記コンテンツ提供者１０から受信したコンテンツをサービス地域別に分類して保存した場合は、該当サービス地域のコンテンツを前記端末１５０に伝送し、前記コンテンツをサービス地域別に分類せずに保存した場合は、保存されたコンテンツのうち該当サービス地域のコンテンツを前記端末１５０に伝送する。
【００８７】
前記ＤＶＢ受信器１５１を介してコンテンツを受信すると、ブロードキャスト／マルチキャストクライアント１５３は、該当コンテンツを出力する（Ｓ８１）。
【００８８】
本実施形態において、ブロードキャスト／マルチキャストサーバが端末から特定コンテンツに対する要求を受信する場合、該当端末に該当コンテンツを提供する。しかし、前記ブロードキャスト／マルチキャストサーバは、前記端末からコンテンツ要求を受信しない場合も、位置サーバから端末の位置を確認して該当端末の現在位置によって選別的にコンテンツを提供できるとともに、端末の現在位置に関係なくユーザが要求したコンテンツを提供できる。
【００８９】
例えば、ブロードキャスト／マルチキャストサーバ３０は、前記コンテンツ提供者１０からコンテンツを受信すると、特定地域内に存在する端末を前記位置サーバ２０を介して確認した後、該当地域にサービス可能なコンテンツを前記地域内の端末５０に伝送できる。
【００９０】
また、ブロードキャスト／マルチキャストサーバ３０は、前記コンテンツ提供者１０からコンテンツを受信すると、コンテンツ内の地域情報を利用してサービス地域別にコンテンツを分類／保存し、端末が特定地域のコンテンツを要求すると、該当地域のコンテンツを該当端末５０に伝送する。
【図面の簡単な説明】
【００９１】
【図１】本発明によるブロードキャスト／マルチキャストシステムの構成を示すブロック図である。
【図２】本発明の第１実施形態によるブロードキャスト／マルチキャストサービス方法を示す信号フローチャートである。
【図３】本発明の第２実施形態によるブロードキャスト／マルチキャストサービス方法を示す信号フローチャートである。
【図４】本発明によるサービスガイドエントリに含まれる項目を示す図である。
【図５】位置追跡要求メッセージとそれに対する応答メッセージをＸＭＬ（Ｅｘｔｅｎｓｉｂｌｅ  Ｍａｒｋｕｐ  Ｌａｎｇｕａｇｅ）で表現した図である。
【図６】位置追跡要求メッセージとそれに対する応答メッセージをＸＭＬで表現した図である。
【図７】位置追跡要求メッセージとそれに対する応答メッセージをＸＭＬで表現した図である。
【図８】位置追跡要求メッセージとそれに対する応答メッセージをＸＭＬで表現した図である。
【図９】位置追跡要求メッセージとそれに対する応答メッセージをＸＭＬで表現した図である。
【図１０】位置追跡要求メッセージとそれに対する応答メッセージをＸＭＬで表現した図である。
【図１１】位置追跡要求メッセージとそれに対する応答メッセージをＸＭＬで表現した図である。
【図１２】位置追跡要求メッセージとそれに対する応答メッセージをＸＭＬで表現した図である。
【図１３】位置追跡要求メッセージとそれに対する応答メッセージをＸＭＬで表現した図である。
【図１４】位置追跡要求メッセージとそれに対する応答メッセージをＸＭＬで表現した図である。
【図１５】ブロードキャストサーバのデータベースの探索テーブルを示す図である。
【図１６】本発明の第３実施形態によるブロードキャスト／マルチキャストサービス方法を示す信号フローチャートである。
【図１７】本発明の第４実施形態によるブロードキャスト／マルチキャストサービス方法を示す信号フローチャートである。
【図１】
2008503148.tif 000003
【図２】
2008503148.tif 000004
【図３】
2008503148.tif 000005
【図４】
2008503148.tif 000006
【図５】
2008503148.tif 000007
【図６】
2008503148.tif 000008
【図７】
2008503148.tif 000009
【図８】
2008503148.tif 000010
【図９】
2008503148.tif 000011
【図１０】
2008503148.tif 000012
【図１１】
2008503148.tif 000013
【図１２】
2008503148.tif 000014
【図１３】
2008503148.tif 000015
【図１４】
2008503148.tif 000016
【図１５】
2008503148.tif 000017
【図１６】
2008503148.tif 000018
【図１７】
2008503148.tif 000019
【国際調査報告】
2008503148.tif 000020
2008503148.tif 000021